(57)【要約】【課題】正回転時による掘進の際に、スパイラル翼による土砂排出抵抗のより少ない拡大ビット付き既製杭埋め込み用掘削ヘッドを提供する。【解決手段】中心軸２０の周囲に螺旋状のスパイラル翼２４を備え、下端に掘削用ビット２６を有するとともに、周囲に逆回転時に突出する拡大ビット３１を備え、拡大ビット３１は基端側がスパイラル翼に対してその表面に沿った傾斜面上を回動自在に支持され、スパイラル翼２４の表面に拡大ビット３１が掘削ヘッド回転半径方向に立ち上がった状態でその背面を支持するストッパー３４ｂを突設させる。【選択図】      図１
2004308291.tif 000002
【特許請求の範囲】
【請求項１】
中心軸の周囲に螺旋状のスパイラル翼が備えられ、下端に掘削用ビットを有するとともに、逆回転時に前記スパイラル翼の外周より突出する拡大ビットが備えられ、回転支軸の下端に着脱自在に固定される拡大ビット付き既製杭埋め込み用掘削ヘッドにおいて、
前記拡大ビットは、基端側が前記スパイラル翼に対してその表面に沿った傾斜面上を回動自在に支持され、且つ前記スパイラル翼表面に、拡大ビットが掘削ヘッド回転半径方向に立ち上がった状態でその背面を支持するストッパーを突設させていることを特徴としてなる拡大ビット付き既製杭埋め込み用掘削ヘッド。
【請求項２】
拡大ビットは、スパイラル翼の上下両面に対称配置に備えてなる請求項１に記載の拡大ビット付き既製杭埋め込み用掘削ヘッド。
【請求項３】
ストッパーは、拡大ビットの厚さと略同じ高さで、ヘッド回転半径方向の長さが前記拡大ビットの幅と略同じ長さに形成され、該ストッパーのヘッド正回転時の回転前方側をスパイラル翼表面に達する傾斜面としてなる請求項１又は２に記載の拡大ビット付き既製杭埋め込み用掘削ヘッド。
【発明の詳細な説明】
【０００１】
【発明の属する技術分野】
本発明は、主とし鋼製又はコンクリート製の円筒形又は円柱形の既製杭を地中に設置する際に使用する拡大ビット付き既製杭埋め込み用掘削ヘッドに関する。
【０００２】
【従来の技術】
従来、既製杭埋め込み方法として、先端に掘削用ビットを固定したスクリューオーガを使用して地中を掘削して既製杭挿入孔を地中に形成し、その既製杭挿入孔内に既製杭を挿入する所謂プレボーリング工法がある。
【０００３】
この工法では、図３（ｄ）に示すように、埋め込まれる既製杭１の先端部分に杭径より大きい径の拡大球根２を杭下処理によって形成する。
【０００４】
この拡大球根２を形成する方法として拡大ビットを取り付けた掘削ヘッドを使用する方法があり、図３（ａ）〜（ｄ）に示すように、スクリューオーガ等を使用した掘削ヘッド３に、これを逆転させることによって土砂の抵抗により半径方向に起立する拡大ビット４を取り付けておき、図３（ａ）に示すように掘削ヘッド３を正転させて所定深さまで削孔した後、図３（ｂ）に示すように掘削ヘッド３を逆転させて拡大ビット４を突出させて周囲の地盤を切り崩して拡大球根用拡径孔５を形成し、この拡径孔５内にセメントミルク等の固化材を注入して攪拌させ、然る後図３（ｃ）に示すように掘削ヘッド３を正転させて拡大ビット４収納させ、固化材を所定高さまで注入しながら掘削ヘッド３を引き抜いて所謂ソイルセメントによる拡大球根２を造成する。この拡大球根２の固化前に図３（ｄ）に示すように既製杭１を挿入するようにしている。
【０００５】
このように拡大球根形成に使用する従来の拡大ビットつきの掘削ヘッドは、例えば、図４、図５に示す如き構造のものが使用されている（例えば特許文献１）。この掘削ヘッドは、中心に液剤注入筒１１が挿通された中空の中心軸１０周囲に螺旋状配置のスパイラル翼１２を固定し、そのスパイラル翼１２の一部を切り欠いてに拡大ビット支持部１３を形成し、該拡大ビット支持部１３に縦向きの枢支軸１４をもって拡大ビット１５を枢支させている。枢支軸１４は中心軸１０と平行な縦向きとなっており、拡大ビット１５は、中心軸１０と直交する平面上を回動するようになっており、常にスパイラル翼１２の螺旋方向に対して傾斜した角度となっている。
【０００６】
この他、スパイラル翼とは別の位置にあって中心軸に対して固定した拡大ビット支持部を設け、これに拡大ビットを回動自在に支持させた構造のものも知られている（例えば特許文献２）。
【０００７】
【特許文献１】
特開平１１−３５０４７３号公報
【０００８】
【特許文献２】
特開平１１−６２４５２号公報
【０００９】
【発明が解決しようとする課題】
上述した従来の拡大ビット付き既製杭埋め込み用掘削ヘッドは、拡大ビットがヘッド回転中心軸に対して直交する配置に突出されるようになっているため、掘進時の抵抗が大きく、スパイラル翼による土砂の排出を阻害するという問題があった。
【００１０】
本発明は上述の如き従来の問題に鑑みて、正回転時による掘進の際に、スパイラル翼による土砂排出抵抗のより少ない拡大ビット付き既製杭埋め込み用掘削ヘッドを提供することを目的としてなされたものである。
【００１１】
【課題を解決するための手段】
上述の如き従来の問題を解決し、所期の目的を達成するための請求項１に記載の発明の特徴は、中心軸の周囲に螺旋状のスパイラル翼が備えられ、下端に掘削用ビットを有するとともに、逆回転時に前記スパイラル翼の外周より突出する拡大ビットが備えられ、回転支軸の下端に着脱自在に固定される拡大ビット付き既製杭埋め込み用掘削ヘッドにおいて、
前記拡大ビットは、基端側が前記スパイラル翼に対してその表面に沿った傾斜面上を回動自在に支持され、且つ前記スパイラル翼表面に、拡大ビットが掘削ヘッド回転半径方向に立ち上がった状態でその背面を支持するストッパーを突設させていることにある。
【００１２】
このように構成することにより、拡大ビットは、スパイラル翼の表面に沿った位置に収納されることとなるため、スパイラル翼による排土の際の抵抗が少なくなり、スムーズな排土がなされる。
【００１３】
請求項２に係る発明の特徴は前記請求項１の構成に加え、拡大ビットは、スパイラル翼の上下両面に対称配置に備えたことにある。このように構成することにより、排土抵抗がより少ない状態で、拡大ビットの断面積を大きくでき、拡大ビットによる地盤撹乱効果が大きくなる。
【００１４】
請求項３に係る発明の特徴は前記請求項１又は２の構成に加え、ストッパーは、拡大ビットの厚さと略同じ高さで、ヘッド回転半径方向の長さが前記拡大ビットの幅と略同じ長さに形成され、該ストッパーのヘッド正回転時の回転前方側をスパイラル翼表面に達する傾斜面としたことにある。
【００１５】
このように構成することにより、正回転時のスパイラル翼による排土時に、拡大ビットは傾斜面の背部に位置することなり、排土抵抗をより小さいものとすることができる。
【００１６】
【発明の実施の形態】
次に、本発明の実施の形態を図１、図２について説明する。
【００１７】
図１は本発明に係る掘削ヘッドの概略を示しており、図中符号２０は掘削ヘッドＡの中心軸である。この中心軸２０は前述した従来例と同様に中心に液剤注入筒２１を挿通した中空筒状をなしており、上端に回転支軸２２に連結させるための雄型連結部２３が備えられている。
【００１８】
中心軸の周囲には帯状の鋼板を螺旋状に成形した２枚のスパイラル翼２４が一体に固着されている。この両スパイラル翼２４は螺旋ピッチを１８０度ずらせて互いに対象に設置されており、下端が中心軸２０の下端より下方に突出され、その両下端縁２５が回転軸心を通る１直線上にあり、且つ該回転軸心を中心にして互いに対称配置に設置されている。
【００１９】
各スパイラル翼２４は、その螺旋直径と螺旋ピッチの３／４に相当する高さとが等しくなるように螺旋傾斜角度が設定されている。尚、この螺旋傾斜角度は、全体を上記傾斜角度以下としても良く、また、上端部を上記傾斜角度と同じか又はこれ以下とし、下端に至るにしたがって徐々に緩傾斜としても良い。
【００２０】
各スパイラル翼２４の下縁にはそれぞれの螺旋延長方向に向けて各々掘削用ビット２６，２６……が突設されている。中心軸２０の下端には液剤吐出口２７が開口されており、その吐出口２７の両側部に一対の中心部掘削用ビット２８が突設されている。この各中心部掘削用ビット２８は各スパイラル翼２４に近い側のものがそのスパイラル翼２４の下端の掘削用ビット２６と同方向に向けられている。
【００２１】
掘削ヘッドＡの中腹部高さより梢下側にあって、両スパイラル翼２４の外周縁部にそれぞれ拡大ビット３１が備えられている。この各拡大ビット３１は図２に示すように、スパイラル翼２４の円周方向に向けられてその周縁より内側に倒れた位置から、該スパイラル翼２４の回転半径方向に起立されて先端がスパイラル翼２４の外周より突出した位置との間を回動できるように取り付けられている。
【００２２】
この各拡大ビット３１は、スパイラル翼２４毎にこれを挟む配置に２枚ずつ上下両面側に同じ向きで使用され、それぞれ基端部３２が略半円形に形成され、その半円の円形中心部に枢支孔３３が開口されている。
【００２３】
各スパイラル翼２４の拡大ビット取り付け位置には、それぞれ拡大ビット支持金具３４が固着されている。該金具３４は、スパイラル翼２４の一部を切り欠いた空間を埋めるようにして固着されて上下両面がスパイラル翼２４の上下両面と略同一面を構成する平板部３４ａと、該平板部３４の縁部からスパイラル翼上下側に突出したストッパー部３４ｂとから構成され、平板部３４ａがスパイラル翼２４螺旋傾斜角度と略同じ傾斜角度にて固着されている。
【００２４】
このストッパー部３４ｂは、掘削ヘッドＡの正回転時、即ち掘削ヘッドＡを回転させることによりスパイラル翼２４によって掘削土砂が上方に搬送される側の回転時（本明細書ではこの方向の正回転とし、これと逆方向の回転を逆回転とする）における回転方向前方側に突設されており、拡大ビット３１の幅ａと略同じ寸法で、突出高さが拡大ビット３１の厚さｂと略同じ寸法に形成されている。このストッパー部３４ｂの正回転方向前方側は、スパイラル翼２４の上面又は下面に至る緩傾斜の傾斜面３４ｃとなっている。
【００２５】
このストッパー部３４ｂはその平板部３４ａ側の立ち上がり面に、拡大ビット３１が掘削ヘッドＡ回転半径方向に立ち上がった際に、その背面が当接されて立ち上がり状態が維持させるようにしているものであり、拡大ビット３１は、掘削ヘッドＡ正回転掘進時には、周囲の地盤の抵抗によってスパイラル翼円周方向側に倒された状態となり、掘削ヘッドＡを逆回転させると、周囲の土砂の抵抗によって回転半径方向に立ち上げられ、背面がストッパー部３４ｂに当接されて回動が阻止され立ち上がり状態が維持されるようになっている。
【００２６】
このように構成される掘削ヘッドＡは、前述した従来のプレボーリング工法に使用する掘削ヘッドに代えて使用し、これを正転させることによって掘削用ビット２６，２８によって地盤を掘削し、スパイラル翼２４によって揚土させつつ杭挿入孔を形成する。この掘進時には拡大ビット３１は、図２中実線で示すように、ストッパー部３４ｂの移動後方側に倒され、スパイラル翼２４の上下面に沿った位置に収納された状態にある。そして、所定の深さまで掘進の後、前述した従来工法における拡大球根を形成するために、逆回転させつつ引き上げる。これによって拡大ビット３１が図２中仮線で示すように起立し、スパイラル翼２４の外周より突出し先導孔の周囲を撹乱する。これと同時にセメントミルク等の固化剤を注入することによって拡大球根が形成される。
【００２７】
【発明の効果】
上述したように本発明に係る拡大ビット付き既製杭埋め込み用掘削ヘッドは、正回転による掘進の際に、拡大ビットがスパイラル翼の表面に沿った位置に収納されることとなるため、スパイラル翼による土砂排出抵抗がより少なくなり、揚土しながらの杭挿入孔形成がより少ないエネルギーでスムーズに行わせることができる。
【図面の簡単な説明】
【図１】本発明に係る掘削ヘッドの一例を示す側面図である。
【図２】図１に示す掘削ヘッドの底面図である。
【図３】従来のプレボーリング工法の工程の概略を示す断面図である。
【図４】従来の拡大ビット付き掘削ヘッドを示す側面図である。
【図５】図４中のＡ−Ａ線断面図である。
【符号の説明】
Ａ  掘削ヘッド
２０  中心軸
２１  液剤注入路
２２  回転支軸
２３  雄型連結部
２４  スパイラル翼
２５  下端縁
２６  掘削用ビット
２７  液剤吐出口
２８  中心部掘削用ビット
３１  拡大ビット
３２  基端部
３３  枢支孔
３４  拡大翼支持金具
３４ａ  平板部
３４ｂ  ストッパー部
３４ｃ  傾斜面
【図１】
2004308291.tif 000003
【図２】
2004308291.tif 000004
【図３】
2004308291.tif 000005
【図４】
2004308291.tif 000006
【図５】
2004308291.tif 000007